(57)【要約】【課題】簡素な構成で、第２レンズアレイが精度良く配置されたプロジェクターを提供する。【解決手段】プロジェクターは、光源から射出された光束を均一化するための複数の小レンズ６１を有する第２レンズアレイ６と、第２レンズアレイ６を収納する光学部品用筐体とを備える。光学部品用筐体は、第２レンズアレイ６が光束の光軸に対して略直交する±Ｚ方向（第１方向）に遊嵌状態で挿入される案内溝７４１と、第１方向において第２レンズアレイ６と当接する当接部と、第２レンズアレイ６が当接部に当接する際に、光軸および第１方向に略直交する±Ｙ方向（第２方向）において、第２レンズアレイ６の一部を挟むように突出する一対の位置決め突起部７４２と、を有している。【選択図】図６
2011180488.tif 000002
【特許請求の範囲】
【請求項１】
光源から射出された光束を均一化するための複数の小レンズを有するレンズアレイと、前記レンズアレイを収納する光学部品用筐体とを備えたプロジェクターであって、
前記光学部品用筐体は、
前記レンズアレイが前記光束の光軸に対して略直交する第１方向に遊嵌状態で挿入される案内溝と、
前記第１方向において前記レンズアレイと当接する当接部と、
前記光軸および前記第１方向に略直交する第２方向において、前記レンズアレイの一部を挟むように突出する一対の位置決め突起部と、
を有していることを特徴とするプロジェクター。
【請求項２】
請求項１に記載のプロジェクターであって、
前記レンズアレイは、前記複数の小レンズの外側に前記案内溝に挿入される側端部を有し、
前記案内溝は、前記側端部の前記小レンズが形成されている側の面に対向し、前記光軸に対する前記レンズアレイの傾きを規制する基準面を有し、
前記当接部は、前記基準面に対向する前記案内溝に形成され、前記レンズアレイが挿入される方向に進むに従って前記基準面に近づくように傾斜する傾斜面であることを特徴とするプロジェクター。
【発明の詳細な説明】
【技術分野】
【０００１】
本発明は、画像光を投写するプロジェクターに関する。
【背景技術】
【０００２】
従来、光源から射出された光束を画像情報に応じて変調して画像光を形成する光変調装置、およびその画像光を投写する投写レンズを備えたプロジェクターが知られている。また、光源から射出された光束は、光軸の中心に近いほど輝度が高いという輝度むらがあるため、光束を複数の光束に分割した後、各光束を光変調装置に重畳させる、いわゆるインテグレーター照明光学系を備えたプロジェクターが知られている。そして、光束を光変調装置に効率良く重畳させるために、インテグレーター光学系を調整できるように構成された技術が提案されている（例えば、特許文献１参照）。
【０００３】
特許文献１に記載のインテグレーター照明光学系（集光光学ユニット）は、第１インテグレーターレンズ、第２インテグレーターレンズ、各レンズがそれぞれ取り付けられる枠体、および各枠体の両側を支持するフレーム等を備えている。フレームには、各枠体に対応して長孔が形成されており、各枠体は、この長孔から固定ビスが挿通されてフレームに固定される。そして、各枠体は、長孔に挿通された固定ビスに螺合可能な範囲で、フレームに対して移動可能になっている。そして、各レンズは、固定されているそれぞれの枠体がフレームに対して移動されることによって位置が調整される。
【先行技術文献】
【特許文献】
【０００４】
【特許文献１】特開２０００−３１４９１９号公報
【発明の概要】
【発明が解決しようとする課題】
【０００５】
しかしながら、特許文献１に記載の技術は、枠体や固定ビスを備えるという構成のため、部品点数が多く製造工程が複雑になったり、レンズの位置を調整する作業が煩雑になったりするという課題がある。また、調整後に固定ビスを締めた際に、固定ビスを回転させるトルクによって、枠体、つまりレンズが調整した位置からずれる恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を均一化するための複数の小レンズを有するレンズアレイと、前記レンズアレイを収納する光学部品用筐体とを備えたプロジェクターであって、前記光学部品用筐体は、前記レンズアレイが前記光束の光軸に対して略直交する第１方向に遊嵌状態で挿入される案内溝と、前記第１方向において前記レンズアレイと当接する当接部と、前記光軸および前記第１方向に略直交する第２方向において、前記レンズアレイの一部を挟むように突出する一対の位置決め突起部と、を有していることを特徴とする。
【０００８】
この構成によれば、レンズアレイを案内溝に挿入して当接部に当接させ、レンズアレイの一部が一対の位置決め突起部間に位置するように構成することができる。これによって、部品公差等を加味して一対の位置決め突起部間の寸法を設定することで、第２方向においてレンズアレイを精度良く配置することが可能となる。
よって、レンズアレイは、第２方向において、精度が高められた位置に配置されているので、第２方向の微調整はもとより、第１方向、および光軸を中心として回転する方向の微調整が容易に可能となる。そして、調整後のレンズアレイを案内溝に接着剤等によって固定することができる。したがって、部品点数を増やすことなく簡素な構成、および容易な調整でレンズアレイを精度良く光学部品用筐体に配置することが可能となり、プロジェクターは、光学部品用筐体の小型化、製造工程の簡略化や低コスト化が図れる。
【０００９】
［適用例２］上記適用例に係るプロジェクターにおいて、前記レンズアレイは、前記複数の小レンズの外側に前記案内溝に挿入される側端部を有し、前記案内溝は、前記側端部の前記小レンズが形成されている側の面に対向し、前記光軸に対する前記レンズアレイの傾きを規制する基準面を有し、前記当接部は、前記基準面に対向する前記案内溝に形成され、前記レンズアレイが挿入される方向に進むに従って前記基準面に近づくように傾斜する傾斜面であることが好ましい。
【００１０】
この構成によれば、案内溝には、レンズアレイの傾きを規制する基準面、および基準面に対向して形成された当接部としての傾斜面が設けられ、レンズアレイの側端部が挿入される。これによって、レンズアレイは、案内溝に挿入されると傾斜面に当接し、傾斜面に沿って移動して当接した端部側が基準面に押し当てられることとなる。
また、レンズアレイは、光軸方向において、小レンズが設けられている側が重いので、複数の小レンズが鉛直方向に沿うように起立された際、つまり光軸方向を略水平としてレンズアレイの位置を調整する際に、レンズアレイは、小レンズ側に倒れることとなる。レンズアレイは、小レンズが形成されている側が基準面側となるので、倒れることなく、この基準面に支持されることとなる。したがって、レンズアレイを案内溝に挿入するという簡単な操作で、光軸に対する傾斜を抑制できるので、レンズアレイをさらに精度良く光学部品用筐体に配置することが可能となる。
【図面の簡単な説明】
【００１１】
【図１】本実施形態のプロジェクターの概略構成を示す模式図。
【図２】本実施形態の第２レンズアレイおよび下部筐体の一部を示す図であり、第２レンズアレイを下部筐体に組み込んだ斜視図。
【図３】本実施形態の第２レンズアレイおよび下部筐体の一部を示す図であり、下部筐体から第２レンズアレイを分解した斜視図。
【図４】本実施形態の第２レンズアレイおよび下部筐体の一部を示す平面図。
【図５】本実施形態の第２レンズアレイが溝部に組み込まれた状態を示す断面図。
【図６】本実施形態の第２レンズアレイが溝部に組み込まれた状態を示す断面図。
【図７】本実施形態の治具に支持された第２レンズアレイを示す図。
【発明を実施するための形態】
【００１２】
以下、本実施形態に係るプロジェクターについて、図面を参照して説明する。
本実施形態のプロジェクターは、光源から射出された光束を画像情報に応じて変調して画像光を形成し、その画像光をスクリーン等に投写する。
図１は、本実施形態のプロジェクターの概略構成を示す模式図である。
図１に示すように、プロジェクター１は、外装を構成する外装筐体２、制御部（図示省略）、光源装置３１を有する光学ユニット３、および光源装置３１や制御部に電力を供給する電源装置４等を備えている。なお、具体的な図示は省略したが、外装筐体２内には、プロジェクター１内部を冷却する冷却ファン等が配置されている。
【００１３】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００１４】
光学ユニット３は、制御部による制御の下、光源装置３１から射出された光束を光学的に処理し、画像情報に応じた画像光を形成して投写する。
図１に示すように、光学ユニット３は、光源装置３１に加え、照明光学装置としてのインテグレーター照明光学系３２、色分離光学装置３３、リレー光学装置３４、電気光学装置３５、投写レンズ３６、およびこれらの光学部品３１〜３６を光路上の所定位置に配置する光学部品用筐体５を備える。
【００１５】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、インテグレーター照明光学系３２に向けて射出する。
【００１６】
インテグレーター照明光学系３２は、第１レンズアレイ３２１、第２レンズアレイ６、偏光変換素子３２３、および重畳レンズ３２４を備える。
第１レンズアレイ３２１は、光源装置３１から射出された光束を複数の部分光束に分割する光学素子であり、光源装置３１から射出された光束の光軸Ｌに対して略直交する面内にマトリクス状に配列される複数の小レンズを備えている。
【００１７】
第２レンズアレイ６は、第１レンズアレイ３２１により分割された複数の部分光束を集光する光学素子であり、第１レンズアレイ３２１と同様に、光軸Ｌに対して略直交する面内にマトリクス状に配列される複数の小レンズ６１（図３参照）を備えている。
【００１８】
偏光変換素子３２３は、第２レンズアレイ６から射出されたランダム偏光光を後述する液晶ライトバルブ３５１で利用可能な一方向の直線偏光に揃える機能を有する。
【００１９】
重畳レンズ３２４は、第１レンズアレイ３２１、第２レンズアレイ６、および偏光変換素子３２３を経た複数の部分光束を集光して、液晶ライトバルブ３５１の表面に重畳させる。
【００２０】
このように、インテグレーター照明光学系３２は、光源装置３１から射出された光束を複数の部分光束に分割し、分割した部分光束を重畳させることによって、液晶ライトバルブ３５１の画像形成領域を略均一に照明する。また、第２レンズアレイ６は、液晶ライトバルブ３５１の画像形成領域に光束を効率的に照射するために、光軸Ｌに対する位置が調整された後に、光学部品用筐体５に接着固定されるように構成されている。この第２レンズアレイ６の固定構造については、あとで詳細に説明する。
【００２１】
色分離光学装置３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００２２】
リレー光学装置３４は、入射側レンズ３４１、リレーレンズ３４３、および反射ミラー３４２，３４４を備え、色分離光学装置３３で分離されたＲ光をＲ光用の液晶ライトバルブ３５１Ｒまで導く機能を有する。なお、光学ユニット３は、リレー光学装置３４がＲ光を導く構成としているが、これに限らず、例えば、Ｂ光を導く構成としてもよい。
【００２３】
電気光学装置３５は、光変調装置としての液晶ライトバルブ３５１および色合成光学装置としてクロスダイクロイックプリズム３５２を備え、色分離光学装置３３で分離された各色光を画像情報に応じて変調し、画像光を形成する。
【００２４】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネルとその両面に配置された入射側偏光板、射出側偏光板を有している。
【００２５】
液晶ライトバルブ３５１は、図示しない微小画素がマトリクス状に形成された矩形状の画素領域を有し、各画素を表示画像信号に応じた光透過率に設定して、画素領域内に表示画像を形成する。そして、色分離光学装置３３で分離された各色光は、液晶ライトバルブ３５１にて変調された後、クロスダイクロイックプリズム３５２に射出される。
【００２６】
クロスダイクロイックプリズム３５２は、４つの直角プリズムを貼り合わせた平面視略正方形状をなし、直角プリズム同士を貼り合わせた界面には、２つの誘電体多層膜が形成されている。誘電体多層膜は、液晶ライトバルブ３５１Ｒ，３５１Ｂにて変調された色光を反射し、液晶ライトバルブ３５１Ｇにて変調された色光を透過して、各色光を合成する。このように、電気光学装置３５は、液晶ライトバルブ３５１にて変調された各色光をクロスダイクロイックプリズム３５２が合成してカラー画像を表す画像光を形成する。
【００２７】
投写レンズ３６は、複数のレンズを組み合わせた組レンズとして構成され、電気光学装置３５にて形成された画像光をスクリーン上に拡大投写する。
【００２８】
光学部品用筐体５は、光軸Ｌ方向に長く延出する箱状に形成され、一方に開口部を有し、前述した光学部品を収納する下部筐体７（図２参照）と、この開口部を閉塞する図示しない上部筐体とを備えて構成されている。なお、下部筐体７については、後で詳細に説明する。
【００２９】
ここで、第２レンズアレイ６の固定構造について、詳細に説明する。
先ず、第２レンズアレイ６について詳細に説明する。
図２〜図４は、第２レンズアレイ６および下部筐体７の一部を示す図である。具体的に、図２は、第２レンズアレイ６を下部筐体７に組み込んだ斜視図、図３は、下部筐体７から第２レンズアレイ６を分解した斜視図、図４は、＋Ｚ方向から見た平面図である。
【００３０】
なお、以下では、説明の便宜上、光源装置３１から光束が射出される方向を＋Ｘ方向、投写レンズ３６から画像光が投写される方向を＋Ｙ方向、Ｘ方向およびＹ方向に直交し、図２の図面視における上を＋Ｚ方向（上方向）として記載する。また、±Ｚ方向は、第１方向に相当し、±Ｙ方向は、第２方向に相当する。つまり、±Ｘ方向は、光軸Ｌ方向となり、第１方向および第２方向は、光軸Ｌに対して直交する方向となる。
【００３１】
第２レンズアレイ６は、溶融ガラスから成型されており、図３に示すように、ベース部６２および複数の小レンズ６１を備えている。
ベース部６２は、平面視略矩形状の板状に形成され、光束が入射する側の面６２Ａ、および光束が射出する側の面（レンズ形成面６２Ｂ）を有している。複数の小レンズ６１は、ベース部６２の略中央部分に設けられており、レンズ形成面６２Ｂから膨出するように形成されている。各小レンズ６１は、±Ｚ方向（第１方向）および±Ｙ方向（第２方向）に並列するマトリクス状に形成されている。
【００３２】
小レンズ６１の外側のベース部６２は、側端部６２１として形成されている。第２レンズアレイ６は、＋Ｙ側および−Ｙ側の側端部６２１が後述する溝部７４に挿入されて光学部品用筐体５に配置される。
【００３３】
次に、下部筐体７について詳細に説明する。
下部筐体７は、ＢＭＣ（Bulk Molding Compound）等の高耐熱材料で形成され、図２、図３に示すように、外装筐体２の底面に沿って配置される底面部７１と、底面部７１の端縁から起立する側面部７２とを有し、−Ｘ側端部には、光源装置３１が着脱可能に取り付けられる光源取付部７３が形成されている。
【００３４】
側面部７２の内面には、±Ｚ方向（第１方向）に沿って窪む複数の溝部が形成されており、第１レンズアレイ３２１、第２レンズアレイ６等の光学部品は、側端部がこの溝部に挿入されて配置される。図示は省略するが、電気光学装置３５は、保持部材を介して底面部７１にネジ固定され、投写レンズ３６は、側面部７２にネジ固定される。
【００３５】
さらに、下部筐体７の第２レンズアレイ６が配置される部位について詳細に説明する。
図２〜図４に示すように、光源取付部７３の＋Ｘ方向の側面部７２には、第２レンズアレイ６が配置される溝部７４が設けられ、底面部７１には、第２レンズアレイ６の下方に治具用孔７５が設けられている。
【００３６】
溝部７４は、±Ｙ両側の側面部７２の内面に対向して形成され、案内溝７４１、および位置決め突起部７４２（図６参照）を有している。
案内溝７４１は、第２レンズアレイ６の側端部６２１が遊嵌状態で挿入可能に形成されている。具体的に、図４に示すように、＋Ｙ側の案内溝７４１は、側面部７２の内面７２Ａ、および内面７２Ａから−Ｙ方向に突出し、±Ｘ方向に所定の寸法を有して離間する突起部７４１１，７４１２で形成されている。同様に、−Ｙ側の案内溝７４１は、側面部７２の内面７２Ａ、および内面７２Ａから＋Ｙ方向に突出し、±Ｘ方向に所定の寸法を有して離間する突起部７４１３，７４１４で形成されている。
【００３７】
図５、図６は、第２レンズアレイ６が溝部７４に組み込まれた状態を示す図であり、図５は、＋Ｙ方向から見た断面図、図６は、＋Ｘ方向から見た断面図である。
案内溝７４１は、図５に示すように、＋Ｘ側の内面７４１Ａ、底面７４１Ｂ、傾斜面７４Ｔ、および−Ｘ側の内面７４１Ｃを有している。内面７４１Ａ，７４１Ｃは、Ｙ−Ｚ平面に沿うように形成されている。
【００３８】
傾斜面７４Ｔは、底面７４１Ｂと内面７４１Ｃとの間に、内面７４１Ａに対向して形成され、上端より下端が内面７４１Ａに近づくように傾斜している。つまり、傾斜面７４Ｔは、第２レンズアレイ６が挿入される方向に進むに従って内面７４１Ａに近づくように傾斜している。また、傾斜面７４Ｔは、図５に示すように、側端部６２１の下端が当接するように形成されている。
【００３９】
内面７４１Ａは、第２レンズアレイ６のレンズ形成面６２Ｂに対向する面であり、光軸Ｌに対する第２レンズアレイ６の傾きを規制する基準面となる。傾斜面７４Ｔは、±Ｚ方向（第１方向）において第２レンズアレイ６と当接する当接部に相当する。
【００４０】
案内溝７４１は、内面７４１Ａ，７４１Ｃが第２レンズアレイ６の側端部６２１に対して接着固定可能な隙間を有して形成されている。そして、内面７２Ａは、第２レンズアレイ６が光軸Ｌを中心として回転する方向の調整ができるような隙間を有して形成されている。また、内面７４１Ａ，７４１Ｃには、接着剤が注入し易いように凹部が形成されている。
【００４１】
位置決め突起部７４２は、図６に示すように、案内溝７４１の底部に設けられている。位置決め突起部７４２は、±Ｙ方向（第２方向）において、第２レンズアレイ６の側端部６２１の下部を挟むように、±Ｙ両側の内面７２Ａからそれぞれ突出している。一対の位置決め突起部７４２間の寸法は、第２レンズアレイ６の寸法公差等を加味し、±Ｙ方向（第２方向）において、第２レンズアレイ６が光軸Ｌに対して可及的に精度良く配置されるよう設定されている。
【００４２】
ここで、第２レンズアレイ６が溝部７４に固定される手順について説明する。
第２レンズアレイ６は、案内溝７４１の上方から挿入されると、下端が傾斜面７４Ｔに当接する。第２レンズアレイ６は、傾斜面７４Ｔに当接すると、傾斜面７４Ｔに沿って移動し、当接した下端側が内面７４１Ａに押し当てられる。第２レンズアレイ６は、光軸Ｌ方向において、小レンズ６１が設けられている側、つまり、レンズ形成面６２Ｂ側が重いので、＋Ｘ方向に倒れる力が加わり、図５に示すように、レンズ形成面６２Ｂが内面７４１Ａに支持されて起立する。
【００４３】
一方、第２レンズアレイ６は、図６に示すように、下端部が一対の位置決め突起部７４２間に挟まれ、前述したように、±Ｙ方向（第２方向）において、精度良く配置される。つまり、第２レンズアレイ６は、仮の位置決めが行われて下部筐体７に配置される。
【００４４】
第２レンズアレイ６は、仮の位置決めが行われた後に、治具が用いられて光軸Ｌに対する位置の微調整が行われる。
図７は、治具１０に支持された第２レンズアレイ６を示す図である。
第２レンズアレイ６は、図７に示すように、治具用孔７５から挿入された治具１０に支持され、上方に移動される。具体的に、第２レンズアレイ６は、±Ｙ方向（第２方向）の位置が維持され、レンズ形成面６２Ｂが内面７４１Ａ（図５参照）に支持された状態で、位置決め突起部７４２から離間するまで移動される。また、第２レンズアレイ６に当接する治具１０の表面には、図示しない滑り止め部材が設けられており、第２レンズアレイ６が調整される範囲で治具からずれないように構成されている。
【００４５】
位置決め突起部７４２から離間された第２レンズアレイ６は、射出される光束が観察されながら、±Ｚ方向（第１方向）、±Ｙ方向（第２方向）、および光軸Ｌを中心として回転する方向の微調整が行われる。そして、調整後の第２レンズアレイ６は、案内溝７４１に接着剤等によって固定される。
このように、第２レンズアレイ６は、案内溝７４１に挿入され、±Ｙ方向（第２方向）において、精度良く配置された後、治具１０による微調整が行われて固定される。
【００４６】
以上説明したように、本実施形態のプロジェクター１によれば、以下の効果を得ることができる。
（１）第２レンズアレイ６を案内溝７４１に挿入するという簡単な操作で、±Ｙ方向（第２方向）において、第２レンズアレイ６を精度良く配置することが可能となる。そして、第２レンズアレイ６は、±Ｙ方向（第２方向）において精度良く配置されているので、治具１０で位置決め突起部７４２から離間されることで、±Ｙ方向（第２方向）の微調整はもとより、±Ｚ方向（第１方向）、および光軸Ｌを中心として回転する方向の微調整が容易に可能となる。したがって、部品点数を増やすことなく簡素な構成、および容易な調整で第２レンズアレイ６を精度良く光学部品用筐体５に配置することが可能となり、プロジェクター１は、光学部品用筐体５の小型化、製造工程の簡略化や低コスト化が図れる。
【００４７】
（２）他の部材を用いることなく、第２レンズアレイ６を光学部品用筐体５に固定できるので、光学部品用筐体５の設計の自由度の向上やプロジェクター１の軽量化が図れる。
【００４８】
（３）案内溝７４１には、小レンズ６１側に設けられた基準面としての内面７４１Ａ、および当接部としての傾斜面７４Ｔが形成されているので、第２レンズアレイ６を案内溝７４１に挿入するという簡単な操作で、光軸Ｌに対する傾斜を抑制し、第２レンズアレイ６をさらに精度良く光学部品用筐体５に配置することが可能となる。
【００４９】
（変形例）
なお、前記実施形態は、以下のように変更してもよい。
前記実施形態の治具は、下方から第２レンズアレイ６を支持するように構成されているが、側方となる±Ｙ方向や上方から支持するように構成してもよい。
【００５０】
前記実施形態の第２レンズアレイ６は、小レンズ６１が光束射出側に形成されているが、光束入射側に形成されるように構成してもよい。
【００５１】
前記実施形態では、第２レンズアレイ６を調整するように構成されているが、同様の構成で第１レンズアレイ３２１を調整するように構成してもよい。
【００５２】
前記実施形態のプロジェクター１は、光変調装置として透過型の液晶ライトバルブ３５１を用いているが、反射型液晶ライトバルブを利用したものであってもよい。
【００５３】
前記実施形態の光源装置３１は、放電型の光源３１１を採用しているが、レーザーダイオード、ＬＥＤ（Light Emitting Diode）、有機ＥＬ（Electro Luminescence）素子、シリコン発光素子などの各種固体発光素子で構成してもよい。
【符号の説明】
【００５４】
１…プロジェクター、３…光学ユニット、５…光学部品用筐体、６…第２レンズアレイ、７…下部筐体、１０…治具、３１…光源装置、３２…インテグレーター照明光学系、３５…電気光学装置、６１…小レンズ、６２…ベース部、６２Ｂ…レンズ形成面、７４…溝部、７４Ｔ…傾斜面、７５…治具用孔、３１１…光源、３２１…第１レンズアレイ、３５１，３５１Ｂ，３５１Ｇ，３５１Ｒ…液晶ライトバルブ、３５２…クロスダイクロイックプリズム、６２１…側端部、７４１…案内溝、７４１Ａ…内面、７４２…位置決め突起部、Ｌ…光軸。
【図１】
2011180488.tif 000003
【図２】
2011180488.tif 000004
【図３】
2011180488.tif 000005
【図４】
2011180488.tif 000006
【図５】
2011180488.tif 000007
【図６】
2011180488.tif 000008
【図７】
2011180488.tif 000009